(57)【要約】【課題】容易に設置できるカルバート構造物を提供する。【解決手段】略角筒状のカルバート部材12の連結部14の外周面と、略角筒状の他のカルバート部材12の被連結部15の内周面とを弾性変形可能な耐震継手13を介して連結し、複数のカルバート部材12を連通するように連結して構成したボックスカルバート11である。耐震継手13は、連結部14の外周面に嵌合可能な継手本体と、この継手本体の周面から環状に沿って突出した突起部とを有する。このような耐震継手13は、連結部14と被連結部15とを嵌着する前に予め連結部14の外周面に嵌合する。そして、連結部14に嵌合された耐震継手13は、連結部14と被連結部15とを嵌着する際に、連結部14の外周面と被連結部15の内周面との間隙で回動可能である。【選択図】図１
2013119760.tif 000002
【特許請求の範囲】
【請求項１】
略角筒状のカルバート部材の連結部の外周面と、この連結部の外周面の外側に間隙を介して嵌着可能な略角筒状の他のカルバート部材の被連結部の内周面とが、弾性変形可能な環状の耐震継手を間隙に挟み込んだ状態で嵌着されて、複数の略角筒状のカルバート部材が連通するように水密に連結されるカルバート構造物であって、
耐震継手は、連結部の外周面に嵌合可能な環状の継手本体と、この継手本体から環状に沿って突出した突起部とを有し、連結部と被連結部とが嵌着される前に予め連結部の外周面に嵌合され、連結部と被連結部とを嵌着する際に連結部の外周面と被連結部の内周面との間隙で弾性変形しながら回動可能である
ことを特徴とするカルバート構造物。
【請求項２】
耐震継手は、継手本体内に中空部が設けられている
ことを特徴とする請求項１記載のカルバート構造物。
【請求項３】
耐震継手は、伸縮可能であり、収縮した状態での継手本体の環状の長さが、連結部において予め嵌合される箇所の外周の長さに対して８５％以上９５％以下である
ことを特徴とする請求項１または２記載のカルバート構造物。
【請求項４】
耐震継手は、突起部が連結部の端面側へ向き、かつ、突起部の一部が連結部の外周面に接触するように連結部に嵌合される
ことを特徴とする請求項１ないし３のいずれか一記載のカルバート構造物。
【請求項５】
被連結部は、端面へ向かって薄くテーパ状に形成されたテーパ部を有する
ことを特徴とする請求項１ないし４のいずれか一記載のカルバート構造物。
【請求項６】
連結部は、端面側に位置する先端部と、この先端部より基端側に位置し先端部より外周が大きい基端部と、これら先端部と基端部との境界部分である段差部とを有し、
耐震継手は、継手本体の一部が段差部に接触するように先端部に嵌合され、連結部と被連結部とを嵌着する際に先端部から基端部へ回動しながら移動する
ことを特徴とする請求項１ないし５のいずれか一記載のカルバート構造物。
【発明の詳細な説明】
【技術分野】
【０００１】
本発明は、複数の筒状のカルバート部材が弾性変形可能な耐震継手を介して連結されたカルバート構造物に関する。
【背景技術】
【０００２】
複数のカルバート部材が連結されて構成されるカルバート構造物としてのボックスカルバートでは、地震により水密な連結が解除されることを防止するため、カルバート部材の連結部と、他のカルバート部材の被連結部とが例えばゴムなどで形成された弾性変形可能な耐震継手を介して嵌合されて、各カルバート部材が連結される。
【０００３】
この種のボックスカルバートにおける耐震継手としては、例えば一部が連結部としての雄型嵌合部外周面に埋設される構成のもの（例えば、特許文献１参照。）や、連結部としての挿し口の外周面に接着される構成のものが知られている（例えば、特許文献２参照。）。
【先行技術文献】
【特許文献】
【０００４】
【特許文献１】特許第４５４０１２９号公報（第４−６頁、図３）
【特許文献２】特開２００９−２７５４２２号公報（第３−５頁、図３）
【発明の概要】
【発明が解決しようとする課題】
【０００５】
しかしながら、上述の特許文献１および特許文献２の構成では、カルバート部材を成形する際に連結部に耐震継手の一部を埋め込んだり、連結部に耐震継手を接着剤などで固着したりする必要があるため、耐震継手の取り付け作業が煩雑化してしまい、カルバート構造物を容易に設置できないという問題が考えられる。
【０００６】
本発明はこのような点に鑑みなされたもので、容易に設置できるカルバート構造物を提供することを目的とする。
【課題を解決するための手段】
【０００７】
請求項１に記載されたカルバート構造物は、略角筒状のカルバート部材の連結部の外周面と、この連結部の外周面の外側に間隙を介して嵌着可能な略角筒状の他のカルバート部材の被連結部の内周面とが、弾性変形可能な環状の耐震継手を間隙に挟み込んだ状態で嵌着されて、複数の略角筒状のカルバート部材が連通するように水密に連結されるカルバート構造物であって、耐震継手は、連結部の外周面に嵌合可能な環状の継手本体と、この継手本体から環状に沿って突出した突起部とを有し、連結部と被連結部とが嵌着される前に予め連結部の外周面に嵌合され、連結部と被連結部とを嵌着する際に連結部の外周面と被連結部の内周面との間隙で弾性変形しながら回動可能であるものである。
【０００８】
請求項２に記載されたカルバート構造物は、請求項１記載のカルバート構造物において、耐震継手は、継手本体内に中空部が設けられているものである。
【０００９】
請求項３に記載されたカルバート構造物は、請求項１または２記載のカルバート構造物において、耐震継手は、伸縮可能であり、収縮した状態での継手本体の環状の長さが、連結部において予め嵌合される箇所の外周の長さに対して８５％以上９５％以下であるものである。
【００１０】
請求項４に記載されたカルバート構造物は、請求項１ないし３のいずれか一記載のカルバート構造物において、耐震継手は、突起部が連結部の端面側へ向き、かつ、突起部の一部が連結部の外周面に接触するように連結部に嵌合されるものである。
【００１１】
請求項５に記載されたカルバート構造物は、請求項１ないし４のいずれか一記載のカルバート構造物において、被連結部は、端面へ向かって薄くテーパ状に形成されたテーパ部を有するものである。
【００１２】
請求項６に記載されたカルバート構造物は、請求項１ないし５のいずれか一記載のカルバート構造物において、連結部は、端面側に位置する先端部と、この先端部より基端側に位置し先端部より外周が大きい基端部と、これら先端部と基端部との境界部分である段差部とを有し、耐震継手は、継手本体の一部が段差部に接触するように先端部に嵌合され、連結部と被連結部とを嵌着する際に先端部から基端部へ回動しながら移動するものである。
【発明の効果】
【００１３】
請求項１に記載された発明によれば、継手本体が連結部の外周面に嵌合可能であり、連結部に嵌合された耐震継手が、連結部と被連結部とを嵌着する際に連結部の外周面と被連結部の内周面との間隙で弾性変形しながら回動可能であることにより、耐震継手の取付作業が容易であり、連結部の外周面に予め耐震継手を嵌合して、連結部と被連結部とを嵌着させるだけで連結部と被連結部とを水密に連結できるため、容易に設置できる。
【００１４】
請求項２に記載された発明によれば、耐震継手の継手本体内に中空部が設けられていることにより、連結部と被連結部とを嵌着する際に、突起部が中空部へ向かって押し込まれるように弾性変形できるため、耐震継手が回動しやすく、連結部と被連結部とを容易に連結できる。
【００１５】
請求項３に記載された発明によれば、収縮した状態での継手本体の環状の長さが、連結部において予め耐震継手が嵌合される箇所の外周の長さに対して８５％以上９５％以下であることにより、連結部の角部にて耐震継手に加わる力を抑制でき、かつ、耐震継手を連結部に確実に嵌合できるため、耐震継手を適切に取り付けることができる。
【００１６】
請求項４に記載された発明によれば、耐震継手は、突起部が連結部の端面側へ向き、かつ、突起部の一部が連結部の外周面に接触するように嵌合されることにより、連結部と被連結部とを嵌着する際に連結部の外周面と被連結部の内周面との間隙で回動しやすく、また、嵌合された耐震継手の連結部の端面側への回動が突起部にて係止されて耐震継手を位置決めしやすいため、連結部と被連結部とを容易かつ正確に連結できる。
【００１７】
請求項５に記載された発明によれば、被連結部がテーパ部を有することにより、連結部と被連結部とが耐震継手を挟み込んで嵌着しやすいため、連結部と被連結部とを容易に連結できる。
【００１８】
請求項６に記載された発明によれば、耐震継手は、継手本体の一部が段差部に接触するように先端部に嵌合されることにより、連結部と被連結部とを嵌着する際に継手本体が段差部に係止されるため、耐震継手がずれにくく、連結部と被連結部とを正確に連結できる。
【図面の簡単な説明】
【００１９】
【図１】本発明の一実施の形態に係るカルバート構造物の構成を示す側面図である。
【図２】同上カルバート構造物のカルバート部材を示す正面図である。
【図３】同上カルバート構造物のカルバート部材を示す斜視図である。
【図４】同上カルバート構造物の耐震継手を示す断面図である。
【図５】（ａ）は同上カルバート構造物の連結部と被連結部とを嵌着する前の状態を示す断面図であり、（ｂ）は同上カルバート構造物の連結部と被連結部とを嵌着した後の状態を示す断面図である。
【図６】（ａ）は同上カルバート構造物の連結部と被連結部とを嵌着する前の状態を示す部分断面図であり、（ｂ）は同上カルバート構造物の連結部と被連結部とを嵌着している状態を示す部分断面図であり、（ｃ）は同上カルバート構造物の連結部と被連結部とを嵌着した後の状態を示す部分断面図である。
【図７】同上カルバート構造物において捻じれや歪みが発生した際の連結部と被連結部との連結状態を示す断面図である。
【発明を実施するための形態】
【００２０】
以下、本発明の一実施の形態の構成について図１ないし図７を参照しながら詳細に説明する。
【００２１】
図１において、11はカルバート構造物としてのボックスカルバートであり、このボックスカルバート11は、地中等に設置され、例えば通路、水路および共同溝等として使用される。
【００２２】
ボックスカルバート11は、鉄筋コンクリートやプレストレストコンクリートなどのコンクリートにより予め成形された複数の略筒状のカルバート部材12，12が、例えばゴムなどで形成された弾性変形可能な環状の耐震継手13を介して連通するように水密に順次連結されて構成される。
【００２３】
具体的には、ボックスカルバート11は、カルバート部材12の連結部14の外周面と、この連結部14の外周面の外側に嵌着可能な隣接する他のカルバート部材12の被連結部15の内周面とが、耐震継手13を介して嵌着されて連結される。
【００２４】
図１ないし図３に示すように、カルバート部材12は、底面部16の両側に側面部17，17が互いに対向して形成され、これら側面部17，17の上部間に亘って上面部18が形成されたカルバート部材本体19を有している。なお、このようなカルバート部材12は、例えばカルバート部材本体19が２０００ｍｍ角または１０００ｍｍ角の略角筒状などに成形される。
【００２５】
また、カルバート部材12は、カルバート部材本体19の一端部に連結部14が形成され、他端部に被連結部15が形成されている。
【００２６】
連結部14は、略角筒状の雄形部材であり、外周面に耐震継手13を嵌合可能である。
【００２７】
被連結部15は、内周の長さが連結部14の外周の長さより長い略角筒状であり、連結部14の外周面に間隙20を介して嵌着可能な雌形部材である。
【００２８】
すなわち、連結部14の外周面と、隣接する他のカルバート部材12の被連結部15の内周面とは、間隙20に耐震継手13を挟み込んだ状態で嵌着可能である。
【００２９】
図４に示すように、耐震継手13は、連結部14の外周面に嵌合可能な環状の継手本体21と、この継手本体21の周面から環状に沿って全長に亘って突出した突起部22とを有し、連結部14と被連結部15とが嵌着される前に予め連結部14の外周面に嵌合される。
【００３０】
連結部14の外周面に予め嵌合された耐震継手13は、図５（ａ）および図５（ｂ）に示すように、連結部14と被連結部15とを嵌着する際に、嵌着の進行にともなって、間隙20にて連結部14の外周面と被連結部15の内周面とで挟みこまれて弾性変形しながら回動可能である。
【００３１】
なお、図５（ｂ）では、被連結部15を基準とした耐震継手13の位置を二点差線で示している。
【００３２】
継手本体21は、連結部14と被連結部15との嵌着にともなって回動可能な回動面である円弧状部23を有した断面視略円形状であり、直径が間隙20の幅より長い。
【００３３】
また、継手本体21は、内部の全長に亘って無端状に設けられた断面視半円形状の空洞である中空部24を有している。
【００３４】
中空部24は、円弧状の部分が突起部22側に位置するように継手本体21内に形成されている。
【００３５】
また、中空部24の大きさが突起部22の大きさより小さいと、連結部14と被連結部15とを嵌着する際に突起部22が中空部24へ向かって弾性変形しにくくなるため、中空部24は、突起部22と同じ大きさか、または、突起部22より大きいことが好ましい。
【００３６】
突起部22は、継手本体21に一体に形成され、基端から先端へ向かって漸次細くなるように形成されている。
【００３７】
すなわち、耐震継手13の断面形状は、略円形状の継手本体21の円弧状部23の一部から突起部22が突出したいわゆる涙形である。
【００３８】
また、耐震継手13は、突起部22の突起長さａが長すぎると連結部14の外周面と被連結部15の内周面との間隙20で回動しにくく、突起部22の突起長さａが短いと連結部14と被連結部15とを引き離す方向へ力が加わった場合の抵抗になりにくいため、継手本体21からの突起部22の突起長さａが継手本体21の直径に対して１５％以上２０％以下であると好ましい。
【００３９】
ここで、耐震継手13は、環状に沿って伸縮可能であり、収縮した状態での継手本体21の環状の長さすなわち径は、連結部14において継手本体21が予め嵌合される箇所の外周の長さよりやや短い。
【００４０】
したがって、耐震継手13は、伸張してテンションがかかった状態で連結部14の外周面に嵌合される。
【００４１】
耐震継手13は、連結部14の外周面に嵌合した状態にて、均一にテンションがかかっていることが好ましいが、連結部14は略角筒状であるため、嵌合状態の耐震継手13では、連結部14の角部に対応する部分に他の部分より嵌合による力が加わりやすい。
【００４２】
そして、耐震継手13は、収縮した状態での継手本体21の環状の長さを連結部14において予め継手本体21が嵌合される箇所の外周の長さに対して８５％より小さくすると、連結部14の角部にて過度に力が加わってしまい、連結部14と被連結部15との嵌着や、嵌着の際の回動によって損傷してしまう可能性がある。
【００４３】
また、耐震継手13は、収縮した状態での継手本体21の環状の長さを連結部14において予め継手本体21が嵌合される箇所の外周の長さに対して９５％より大きくすると、嵌合状態の耐震継手13のテンションが弱く、連結部14と被連結部15との連結において耐震継手13による止水性を確保できない可能性がある。
【００４４】
よって、収縮した状態での継手本体21の環状の長さは、連結部14において予め継手本体21が嵌合される箇所の外周の長さに対して８５％以上９５％以下であると好ましい。
【００４５】
ここで、継手本体21は、継手本体21が嵌合される箇所の外周が長いほど、伸張させる必要がある。したがって、例えばカルバート部材本体19が１０００ｍｍ角であるカルバート部材12に取り付けられる場合の耐震継手13における継手本体21の環状の長さは、収縮した状態にて、連結部14において予め継手本体21が嵌合される箇所の外周の長さに対して９０％以上９５％以下であると好ましい。また、カルバート部材本体19が２０００ｍｍ角であるカルバート部材12に取り付けられる場合の耐震継手13における継手本体21の環状の長さは、収縮した状態にて、連結部14において予め継手本体21が嵌合される箇所の外周の長さに対して８５％以上９０％以下であると好ましい。
【００４６】
また、耐震継手13は、取り付ける際の操作性、強度、および製造性などを考慮すると、ゴムの硬度が４５以上５５以下であると好ましい。
【００４７】
連結部14は、図５（ａ）および図５（ｂ）に示すように、端面側に位置する先端部25と、この先端部25より基端側に位置する基端部26と、これら先端部25と基端部26の境界部分である段差部27とを有している。
【００４８】
基端部26は、先端部25より外周が大きく、段差部27は、先端部25側から基端部26側へ向かって外周が大きくなるように傾斜している。
【００４９】
先端部25の先端には、端面へ向かって細くなるように傾斜状に形成された傾斜部28が設けられている。
【００５０】
被連結部15は、内周面の端面側に位置し、端面へ向かって漸次厚さが薄くなるように傾斜したテーパ状のテーパ部29を有している。
【００５１】
また、連結部14は、先端部25の先端面であり傾斜部28から連続して一体に形成され連結部14の軸方向に対して垂直な連結先端面部31と、基端部26の基端から連続して一体に形成され連結部14の軸方向に対して垂直に形成された連結基端面部32とを有している。
【００５２】
さらに、被連結部15は、被連結部15の先端面でありテーパ部29から連続して一体に形成され被連結部15の軸方向に垂直な被連結先端面部33と、被連結部15の基端から連続して一体に形成され被連結部15の軸方向に垂直な被連結基端面部34とを有している。
【００５３】
次に、上記ボックスカルバート11の設置方法を説明する。
【００５４】
ボックスカルバート11を設置する際には、まず、設置場所に１つのカルバート部材12を設置する。
【００５５】
次いで、既に設置したカルバート部材12に隣接させて設置する新たなカルバート部材12の連結部14の外周面に耐震継手13を嵌合する。
【００５６】
連結部14に耐震継手13を嵌合する際には、傾斜部28から継手本体21の内側へ挿入するように嵌合する。
【００５７】
ここで、図５（ａ）および図６（ａ）に示すように、耐震継手13は、突起部22が連結部14の端面側である連結先端面部31側へ向き、かつ、突起部22の一部が連結部14の外周面に接触するように連結部14の外周面に嵌合される。
【００５８】
また、耐震継手13は、継手本体21の円弧状部23の一部が段差部27に接触するように先端部25に嵌合される。
【００５９】
耐震継手13の嵌合後、先に設置したカルバート部材12の被連結部15のテーパ部29の内側へ、隣接させる他のカルバート部材12の連結部14を耐震継手13とともに挿入して、連結部14と被連結部15とを嵌着する。
【００６０】
耐震継手13は、連結部14と被連結部15とを嵌着する際に、間隙20にて、嵌着の進行にともなって連結部14の外周面と被連結部15の内周面とで挟みこまれた状態で弾性変形しながら回動し、段差部27を越えるように先端部25から基端部26へ移動する。
【００６１】
また、耐震継手13は、弾性変形しながら回動する際に、図６（ｂ）に示すように、突起部22が中空部24へ向かって押し込まれ、中空部24が潰れて回動を阻害しにくい形状に弾性変形する。
【００６２】
このように弾性変形しながら回動する耐震継手13を介して嵌着された連結部14と被連結部15とは、図５（ｂ）に示すように、連結先端面部31と被連結基端面部34とが平行に対向して略当接し、連結基端面部32と被連結先端面部33とが平行に対向して略当接する。
【００６３】
また、図６（ｃ）に示すように、嵌合された連結部14と被連結部15とは、間隙20にて弾性変形した耐震継手13を介して水密に連結され、カルバート部材12，12が隣接して連結される。
【００６４】
そして、ボックスカルバート11が所望の長さになるように、同様に新たなカルバート部材12を順次連結して設置する。
【００６５】
上記ボックスカルバート11によれば、継手本体21が連結部14の外周面に嵌合可能であり、連結部14の外周面に予め嵌合された耐震継手13が、連結部14と被連結部15との嵌着の際に、間隙20にて、連結部14の外周面と被連結部15の内周面に挟み込まれた状態で弾性変形しながら回動可能である。
【００６６】
したがって、耐震継手13を取り付ける際に、耐震継手13の一部を埋設したり、耐震継手13を接着したりする必要がなく、耐震継手13の取付作業が容易であり、連結部14の外周面に耐震継手13を予め嵌合して連結部14と被連結部15とを嵌着させるだけで、連結部14と被連結部15とを水密に連結できるため、ボックスカルバート11を容易に設置できる。
【００６７】
また、このように設置されたボックスカルバート11は、例えば地震等によりボックスカルバート11に捻じれる力やカルバート部材12同士を引き離す力が加わり、ボックスカルバート11に屈曲等の変形が生じた場合であっても、図７に示すように、連結部14と被連結部15との嵌着を解除する方向へのカルバート部材12の移動にともなって、耐震継手13が間隙20を追従するように弾性変形しながら連結部14と被連結部15とを嵌着する際とは反対方向へ回動して移動する。
【００６８】
したがって、地震等によりボックスカルバート11に変形が生じても、耐震継手13が間隙20を追従できるため、連結部14と被連結部15との水密な連結を維持できる。
【００６９】
ここで、ボックスカルバート11は、耐震継手13が突起部22を有することにより、連結部14と被連結部15とを引き離す方向へ力が加わった場合に、突起部22が連結部14の外周面または被連結部15の内周面に接触して、耐震継手13の回動への抵抗になるため、連結部14と被連結部15との連結の解除を抑制できる。
【００７０】
耐震継手13は、継手本体21内に中空部24が設けられていることにより、連結部14と被連結部15を嵌着する際に、突起部22が中空部24へ向かって押し込まれ、回動を阻害しにくい形状に弾性変形しやすい。
【００７１】
したがって、耐震継手13が間隙20にてスムーズに回動でき、連結部14と被連結部15とを容易に連結でき、ボックスカルバート11を容易に設置できる。
【００７２】
また、耐震継手13は、収縮した状態での継手本体21の環状の長さが、連結部14において耐震継手13が予め嵌合される箇所の外周の長さよりやや短いことにより、連結部14に嵌合した耐震継手13は伸張されてテンションがかかった状態になるため、連結部14に確実に嵌合できる。
【００７３】
特に、耐震継手13は、収縮した状態での継手本体21の環状の長さが、連結部14において耐震継手13が予め嵌合される箇所の外周の長さに対して８５％以上９５％以下であることにより、嵌合によるテンションによって連結部14の角部にて耐震継手13に加わる力を抑制でき、かつ、連結部14に確実に嵌合できるため、耐震継手を連結部14に適切に取り付けることができる。
【００７４】
耐震継手13は、突起部22が連結部14の端面側へ向き、かつ、突起部22の一部が連結部14の外周面に接触するように嵌合されることにより、連結部14と被連結部15との嵌着にともなって間隙20で連結部14の基端部26側へ回動しやすく、また、嵌合された耐震継手13の連結部14の端面側への回動を突起部22にて係止でき、連結部14の外周面上にて耐震継手13にねじれが発生することを防止できるため、連結部14の外周面上で耐震継手13を位置決めしやすい。
【００７５】
したがって、嵌合状態の耐震継手13の位置がずれにくく、連結部14の外周面上での耐震継手13の位置決めが容易であるとともに、嵌着にともなって耐震継手13が回動しやすいので、連結部14と被連結部15とを容易かつ正確に嵌着できる。
【００７６】
また、連結部14の先端に傾斜部28を有することにより、連結部14の外周面に耐震継手13を嵌合しやすいので、耐震継手13を容易に取り付けることができる。
【００７７】
さらに、被連結部15にテーパ部29を有することにより、耐震継手13が嵌着された連結部14を被連結部15の内側へ挿入しやすく、連結部14と被連結部15とを耐震継手13を挟み込んで嵌着しすいため、連結部14と被連結部15とを容易に連結できる。
【００７８】
耐震継手13は、継手本体21の円弧状部23の一部が段差部27に接触するように先端部25の外周面に嵌合されることにより、連結部14と被連結部15とを嵌着する際に、継手本体21が段差部27に係止される。
【００７９】
したがって、連結部14と被連結部15とを嵌着する際に、耐震継手13は、段差部27より基端部26側へ摺動してずれにくく、段差部27に沿って回動しやすいので、連結部14と被連結部15とを正確に連結できる。
【００８０】
また、耐震継手13は、中空部24の大きさが、突起部22と同じ大きさか、または、突起部22より大きいことにより、連結部14と被連結部15とを嵌着する際に突起部22が中空部24へ向かって弾性変形しやすいので、連結部14と被連結部15とを容易に連結できる。
【００８１】
さらに、耐震継手13は、突起部22の突起長さａが継手本体21の直径に対して１５％以上２０％以下であることにより、連結部14と被連結部15とを嵌着する際に間隙20にて回動しやすく、かつ、連結部14と被連結部15とが連結された状態にて連結部14と被連結部15とを引き離す方向へ力が加わった場合に突起部22による抵抗力を確保できる。
【００８２】
なお、上記一実施の形態では、既に設置したカルバート部材12の被連結部15に、新たに隣接させて設置するカルバート部材12の連結部14を嵌着させる構成としたが、連結部14と被連結部15とが耐震継手13を介して連結される構成であればよく、例えば、既に設置したカルバート部材12の連結部14に、新たに隣接させて設置するカルバート部材12の被連結部15を嵌着させる構成でもよい。
【００８３】
また、ボックスカルバート11の一端に位置するカルバート部材12の一端部には、連結部14が設けられる構成および連結部14が設けられていない構成のいずれでもよい。
【００８４】
さらに、ボックスカルバート11の他端に位置するカルバート部材12の他端部には、被連結部15が設けられる構成および被連結部15が設けられていない構成のいずれでもよい。
【００８５】
また、設置されるカルバート部材12の数は、設置予定のボックスカルバート11の長さに応じて適宜設定できる。
【００８６】
耐震継手13は、継手本体21が断面視で円弧状部23を有する略円形状としたが、このような構成には限定されず、連結部14と被連結部15との嵌着にともなって回動可能な形状であれば、継手本体21は例えば断面視多角形状などでもよい。
【００８７】
また、耐震継手13は、継手本体21が中空部24が設けられた構成としたが、このような構成には限定されず、中空部24が設けられていない構成にしてもよい。
【００８８】
継手本体21に中空部24が設けられる構成の場合は、中空部24が無端状の構成には限定されず、例えば間欠状などにしてもよい。
【００８９】
また、中空部24は、断面視半円形状としたが、このような構成には限定されず、その形状および大きさは適宜設計できる。
【００９０】
突起部22は、基端から先端へ向かって漸次細くなる構成にしたが、このような構成には限定されず、継手本体21の周面の一部から突出していればよい。
【００９１】
耐震継手13は、突起部22が連結部14の端面側である連結先端面部31側へ向き、かつ、突起部22の一部が連結部14の外周面に接触するように連結部14の外周面に嵌合させる構成としたが、このような構成には限定されず、耐震継手13の嵌合状態は適宜変更できる。
【００９２】
また、耐震継手13は、継手本体21の円弧状部23の一部が段差部27に接触するように先端部25に嵌合させる構成としたが、このような構成には限定されず、耐震継手13の嵌合位置は適宜設定できる。
【００９３】
連結部14は、先端部25と基端部26と段差部27とを有する構成としたが、このような構成には限定されず、例えば、連結部14が端面から基端にわたって外周の長さが均一で外周面が平坦な構成などにしてもよい。また、先端部25と基端部26と段差部27とを有する構成にする場合は、先端部25および基端部26の軸方向の長さや、段差部27の傾斜角度は適宜設定できる。
【００９４】
また、連結部14は、先端に傾斜部28が形成された構成としたが、このような構成には限定されず、傾斜部28が形成されていない構成にしてもよい。また、傾斜部28が形成された構成にする場合は、傾斜部28の角度は適宜設定できる。
【００９５】
被連結部15は、テーパ部29を有する構成としたが、このような構成には限定されず、テーパ部29が設けられていない構成にしてもよい。また、テーパ部29が設けられた構成にする場合は、テーパ部29の傾斜角度は適宜設定できる。
【符号の説明】
【００９６】
11    カルバート構造物としてのボックスカルバート
12    カルバート部材
13    耐震継手
14    連結部
15    被連結部
20    間隙
21    継手本体
22    突起部
24    中空部
25    先端部
26    基端部
27    段差部
29    テーパ部
【図１】
2013119760.tif 000003
【図２】
2013119760.tif 000004
【図３】
2013119760.tif 000005
【図４】
2013119760.tif 000006
【図５】
2013119760.tif 000007
【図６】
2013119760.tif 000008
【図７】
2013119760.tif 000009
【手続補正書】
【提出日】平成24年3月2日(2012.3.2)
【手続補正１】
【補正対象書類名】明細書
【補正対象項目名】全文
【補正方法】変更
【補正の内容】
【発明の詳細な説明】
【技術分野】
【０００１】
本発明は、複数の筒状のカルバート部材が弾性変形可能な耐震継手を介して連結されたカルバート構造物に関する。
【背景技術】
【０００２】
複数のカルバート部材が連結されて構成されるカルバート構造物としてのボックスカルバートでは、地震により水密な連結が解除されることを防止するため、カルバート部材の連結部と、他のカルバート部材の被連結部とが例えばゴムなどで形成された弾性変形可能な耐震継手を介して嵌合されて、各カルバート部材が連結される。
【０００３】
この種のボックスカルバートにおける耐震継手としては、例えば一部が連結部としての雄型嵌合部外周面に埋設される構成のもの（例えば、特許文献１参照。）や、連結部としての挿し口の外周面に接着される構成のものが知られている（例えば、特許文献２参照。）。
【先行技術文献】
【特許文献】
【０００４】
【特許文献１】特許第４５４０１２９号公報（第４−６頁、図３）
【特許文献２】特開２００９−２７５４２２号公報（第３−５頁、図３）
【発明の概要】
【発明が解決しようとする課題】
【０００５】
しかしながら、上述の特許文献１および特許文献２の構成では、カルバート部材を成形する際に連結部に耐震継手の一部を埋め込んだり、連結部に耐震継手を接着剤などで固着したりする必要があるため、耐震継手の取り付け作業が煩雑化してしまい、カルバート構造物を容易に設置できないという問題が考えられる。
【０００６】
本発明はこのような点に鑑みなされたもので、容易に設置できるカルバート構造物を提供することを目的とする。
【課題を解決するための手段】
【０００７】
請求項１に記載されたカルバート構造物は、略角筒状のカルバート部材の連結部の外周面と、この連結部の外周面の外側に間隙を介して嵌着可能な略角筒状の他のカルバート部材の被連結部の内周面とが、伸縮可能で弾性変形可能な環状の耐震継手を間隙に挟み込んだ状態で嵌着されて、複数の略角筒状のカルバート部材が連通するように水密に連結されるカルバート構造物であって、耐震継手は、連結部の外周面に嵌合可能な環状の継手本体と、この継手本体から環状に沿って突出した突起部とを有し、収縮した状態での継手本体の環状の長さが連結部において予め嵌合される箇所の外周の長さに対して８５％以上９５％以下であり、連結部と被連結部とが嵌着される前に予め連結部の外周面に嵌合され、連結部と被連結部とを嵌着する際に連結部の外周面と被連結部の内周面との間隙で弾性変形しながら回動可能であるものである。
【０００８】
請求項２に記載されたカルバート構造物は、略角筒状のカルバート部材の連結部の外周面と、この連結部の外周面の外側に間隙を介して嵌着可能な略角筒状の他のカルバート部材の被連結部の内周面とが、弾性変形可能な環状の耐震継手を間隙に挟み込んだ状態で嵌着されて、複数の略角筒状のカルバート部材が連通するように水密に連結されるカルバート構造物であって、耐震継手は、連結部の外周面に嵌合可能な環状の継手本体と、この継手本体から環状に沿って突出した突起部とを有し、連結部と被連結部とが嵌着される前に予め連結部の外周面に嵌合され、連結部と被連結部とを嵌着する際に連結部の外周面と被連結部の内周面との間隙で弾性変形しながら回動可能であり、連結部は、端面側に位置する先端部と、この先端部より基端側に位置し先端部より外周が大きい基端部と、これら先端部と基端部との境界部分である段差部とを有し、耐震継手は、継手本体の一部が段差部に接触するように先端部に嵌合され、連結部と被連結部とを嵌着する際に先端部から基端部へ回動しながら移動するものである。
【０００９】
請求項３に記載されたカルバート構造物は、請求項１記載のカルバート構造物において、連結部は、端面側に位置する先端部と、この先端部より基端側に位置し先端部より外周が大きい基端部と、これら先端部と基端部との境界部分である段差部とを有し、耐震継手は、継手本体の一部が段差部に接触するように先端部に嵌合され、連結部と被連結部とを嵌着する際に先端部から基端部へ回動しながら移動するものである。
【００１０】
請求項４に記載されたカルバート構造粒は、請求項１ないし３のいずれか一記載のカルバート構造物において、耐震継手は、継手本体内に中空部が設けられているものである。
【００１１】
請求項５に記載されたカルバート構造物は、請求項１ないし４のいずれか一記載のカルバート構造物において、耐震継手は、突起部が連結部の端面側へ向き、かつ、突起部の一部が連結部の外周面に接触するように連結部に嵌合されるものである。
【００１２】
請求項６に記載されたカルバート構造物は、請求項１ないし５のいずれか一記載のカルバート構造物において、被連結部は、端面へ向かって薄くテーパ状に形成されたテーパ部を有するものである。
【発明の効果】
【００１３】
請求項１に記載された発明によれば、継手本体が連結部の外周面に嵌合可能であり、連結部に嵌合された耐震継手が、連結部と被連結部とを嵌着する際に連結部の外周面と被連結部の内周面との間隙で弾性変形しながら回動可能であることにより、耐震継手の取付作業が容易であり、連結部の外周面に予め耐震継手を嵌合して、連結部と被連結部とを嵌着させるだけで連結部と被連結部とを水密に連結できるため、容易に設置できる。
【００１４】
また、収縮した状態での継手本体の環状の長さが、連結部において予め耐震継手が嵌合される箇所の外周の長さに対して８５％以上９５％以下であることにより、連結部の角部にて耐震継手に加わる力を抑制でき、かつ、耐震継手を連結部に確実に嵌合できるため、耐震継手を適切に取り付けることができる。
【００１５】
請求項２に記載された発明によれば、継手本体が連結部の外周面に嵌合可能であり、連結部に嵌合された耐震継手が、連結部と被連結部とを嵌着する際に連結部の外周面と被連結部の内周面との間隙で弾性変形しながら回動可能であることにより、耐震継手の取付作業が容易であり、連結部の外周面に予め耐震継手を嵌合して、連結部と被連結部とを嵌着させるだけで連結部と被連結部とを水密に連結できるため、容易に設置できる。
【００１６】
また、耐震継手は、継手本体の一部が段差部に接触するように先端部に嵌合されることにより、連結部と被連結部とを嵌着する際に継手本体が段差部に係止されるため、耐震継手がずれにくく、連結部と被連結部とを正確に連結できる。
【００１７】
請求項３に記載された発明によれば、耐震継手は、継手本体の一部が段差部に接触するように先端部に嵌合されることにより、連結部と被連結部とを嵌着する際に継手本体が段差部に係止されるため、耐震継手がずれにくく、連結部と被連結部とを正確に連結できる。
【００１８】
請求項４に記載された発明によれば、耐震継手の継手本体内に中空部が設けられていることにより、連結部と被連結部とを嵌着する際に、突起部が中空部へ向かって押し込まれるように弾性変形できるため、耐震継手が回動しやすく、連結部と被連結部とを容易に連結できる。
【００１９】
請求項５に記載された発明によれば、耐震継手は、突起部が連結部の端面側へ向き、かつ、突起部の一部が連結部の外周面に接触するように嵌合されることにより、連結部と被連結部とを嵌着する際に連結部の外周面と被連結部の内周面との間隙で回動しやすく、また、嵌合された耐震継手の連結部の端面側への回動が突起部にて係止されて耐震継手を位置決めしやすいため、連結部と被連結部とを容易かつ正確に連結できる。
【００２０】
請求項６に記載された発明によれば、被連結部がテーパ部を有することにより、連結部と被連結部とが耐震継手を挟み込んで嵌着しやすいため、連結部と被連結部とを容易に連結できる。
【図面の簡単な説明】
【００２１】
【図１】本発明の一実施の形態に係るカルバート構造物の構成を示す側面図である。
【図２】同上カルバート構造物のカルバート部材を示す正面図である。
【図３】同上カルバート構造物のカルバート部材を示す斜視図である。
【図４】同上カルバート構造物の耐震継手を示す断面図である。
【図５】（ａ）は同上カルバート構造物の連結部と被連結部とを嵌着する前の状態を示す断面図であり、（ｂ）は同上カルバート構造物の連結部と被連結部とを嵌着した後の状態を示す断面図である。
【図６】（ａ）は同上カルバート構造物の連結部と被連結部とを嵌着する前の状態を示す部分断面図であり、（ｂ）は同上カルバート構造物の連結部と被連結部とを嵌着している状態を示す部分断面図であり、（ｃ）は同上カルバート構造物の連結部と被連結部とを嵌着した後の状態を示す部分断面図である。
【図７】同上カルバート構造物において捻じれや歪みが発生した際の連結部と被連結部との連結状態を示す断面図である。
【発明を実施するための形態】
【００２２】
以下、本発明の一実施の形態の構成について図１ないし図７を参照しながら詳細に説明する。
【００２３】
図１において、11はカルバート構造物としてのボックスカルバートであり、このボックスカルバート11は、地中等に設置され、例えば通路、水路および共同溝等として使用される。
【００２４】
ボックスカルバート11は、鉄筋コンクリートやプレストレストコンクリートなどのコンクリートにより予め成形された複数の略筒状のカルバート部材12，12が、例えばゴムなどで形成された弾性変形可能な環状の耐震継手13を介して連通するように水密に順次連結されて構成される。
【００２５】
具体的には、ボックスカルバート11は、カルバート部材12の連結部14の外周面と、この連結部14の外周面の外側に嵌着可能な隣接する他のカルバート部材12の被連結部15の内周面とが、耐震継手13を介して嵌着されて連結される。
【００２６】
図１ないし図３に示すように、カルバート部材12は、底面部16の両側に側面部17，17が互いに対向して形成され、これら側面部17，17の上部間に亘って上面部18が形成されたカルバート部材本体19を有している。なお、このようなカルバート部材12は、例えばカルバート部材本体19が２０００ｍｍ角または１０００ｍｍ角の略角筒状などに成形される。
【００２７】
また、カルバート部材12は、カルバート部材本体19の一端部に連結部14が形成され、他端部に被連結部15が形成されている。
【００２８】
連結部14は、略角筒状の雄形部材であり、外周面に耐震継手13を嵌合可能である。
【００２９】
被連結部15は、内周の長さが連結部14の外周の長さより長い略角筒状であり、連結部14の外周面に間隙20を介して嵌着可能な雌形部材である。
【００３０】
すなわち、連結部14の外周面と、隣接する他のカルバート部材12の被連結部15の内周面とは、間隙20に耐震継手13を挟み込んだ状態で嵌着可能である。
【００３１】
図４に示すように、耐震継手13は、連結部14の外周面に嵌合可能な環状の継手本体21と、この継手本体21の周面から環状に沿って全長に亘って突出した突起部22とを有し、連結部14と被連結部15とが嵌着される前に予め連結部14の外周面に嵌合される。
【００３２】
連結部14の外周面に予め嵌合された耐震継手13は、図５（ａ）および図５（ｂ）に示すように、連結部14と被連結部15とを嵌着する際に、嵌着の進行にともなって、間隙20にて連結部14の外周面と被連結部15の内周面とで挟みこまれて弾性変形しながら回動可能である。
【００３３】
なお、図５（ｂ）では、被連結部15を基準とした耐震継手13の位置を二点差線で示している。
【００３４】
継手本体21は、連結部14と被連結部15との嵌着にともなって回動可能な回動面である円弧状部23を有した断面視略円形状であり、直径が間隙20の幅より長い。
【００３５】
また、継手本体21は、内部の全長に亘って無端状に設けられた断面視半円形状の空洞である中空部24を有している。
【００３６】
中空部24は、円弧状の部分が突起部22側に位置するように継手本体21内に形成されている。
【００３７】
また、中空部24の大きさが突起部22の大きさより小さいと、連結部14と被連結部15とを嵌着する際に突起部22が中空部24へ向かって弾性変形しにくくなるため、中空部24は、突起部22と同じ大きさか、または、突起部22より大きいことが好ましい。
【００３８】
突起部22は、継手本体21に一体に形成され、基端から先端へ向かって漸次細くなるように形成されている。
【００３９】
すなわち、耐震継手13の断面形状は、略円形状の継手本体21の円弧状部23の一部から突起部22が突出したいわゆる涙形である。
【００４０】
また、耐震継手13は、突起部22の突起長さａが長すぎると連結部14の外周面と被連結部15の内周面との間隙20で回動しにくく、突起部22の突起長さａが短いと連結部14と被連結部15とを引き離す方向へ力が加わった場合の抵抗になりにくいため、継手本体21からの突起部22の突起長さａが継手本体21の直径に対して１５％以上２０％以下であると好ましい。
【００４１】
ここで、耐震継手13は、環状に沿って伸縮可能であり、収縮した状態での継手本体21の環状の長さすなわち径は、連結部14において継手本体21が予め嵌合される箇所の外周の長さよりやや短い。
【００４２】
したがって、耐震継手13は、伸張してテンションがかかった状態で連結部14の外周面に嵌合される。
【００４３】
耐震継手13は、連結部14の外周面に嵌合した状態にて、均一にテンションがかかっていることが好ましいが、連結部14は略角筒状であるため、嵌合状態の耐震継手13では、連結部14の角部に対応する部分に他の部分より嵌合による力が加わりやすい。
【００４４】
そして、耐震継手13は、収縮した状態での継手本体21の環状の長さを連結部14において予め継手本体21が嵌合される箇所の外周の長さに対して８５％より小さくすると、連結部14の角部にて過度に力が加わってしまい、連結部14と被連結部15との嵌着や、嵌着の際の回動によって損傷してしまう可能性がある。
【００４５】
また、耐震継手13は、収縮した状態での継手本体21の環状の長さを連結部14において予め継手本体21が嵌合される箇所の外周の長さに対して９５％より大きくすると、嵌合状態の耐震継手13のテンションが弱く、連結部14と被連結部15との連結において耐震継手13による止水性を確保できない可能性がある。
【００４６】
よって、収縮した状態での継手本体21の環状の長さは、連結部14において予め継手本体21が嵌合される箇所の外周の長さに対して８５％以上９５％以下とした。
【００４７】
ここで、継手本体21は、継手本体21が嵌合される箇所の外周が長いほど、伸張させる必要がある。したがって、例えばカルバート部材本体19が１０００ｍｍ角であるカルバート部材12に取り付けられる場合の耐震継手13における継手本体21の環状の長さは、収縮した状態にて、連結部14において予め継手本体21が嵌合される箇所の外周の長さに対して９０％以上９５％以下であると好ましい。また、カルバート部材本体19が２０００ｍｍ角であるカルバート部材12に取り付けられる場合の耐震継手13における継手本体21の環状の長さは、収縮した状態にて、連結部14において予め継手本体21が嵌合される箇所の外周の長さに対して８５％以上９０％以下であると好ましい。
【００４８】
また、耐震継手13は、取り付ける際の操作性、強度、および製造性などを考慮すると、ゴムの硬度が４５以上５５以下であると好ましい。
【００４９】
連結部14は、図５（ａ）および図５（ｂ）に示すように、端面側に位置する先端部25と、この先端部25より基端側に位置する基端部26と、これら先端部25と基端部26の境界部分である段差部27とを有している。
【００５０】
基端部26は、先端部25より外周が大きく、段差部27は、先端部25側から基端部26側へ向かって外周が大きくなるように傾斜している。
【００５１】
先端部25の先端には、端面へ向かって細くなるように傾斜状に形成された傾斜部28が設けられている。
【００５２】
被連結部15は、内周面の端面側に位置し、端面へ向かって漸次厚さが薄くなるように傾斜したテーパ状のテーパ部29を有している。
【００５３】
また、連結部14は、先端部25の先端面であり傾斜部28から連続して一体に形成され連結部14の軸方向に対して垂直な連結先端面部31と、基端部26の基端から連続して一体に形成され連結部14の軸方向に対して垂直に形成された連結基端面部32とを有している。
【００５４】
さらに、被連結部15は、被連結部15の先端面でありテーパ部29から連続して一体に形成され被連結部15の軸方向に垂直な被連結先端面部33と、被連結部15の基端から連続して一体に形成され被連結部15の軸方向に垂直な被連結基端面部34とを有している。
【００５５】
次に、上記ボックスカルバート11の設置方法を説明する。
【００５６】
ボックスカルバート11を設置する際には、まず、設置場所に１つのカルバート部材12を設置する。
【００５７】
次いで、既に設置したカルバート部材12に隣接させて設置する新たなカルバート部材12の連結部14の外周面に耐震継手13を嵌合する。
【００５８】
連結部14に耐震継手13を嵌合する際には、傾斜部28から継手本体21の内側へ挿入するように嵌合する。
【００５９】
ここで、図５（ａ）および図６（ａ）に示すように、耐震継手13は、突起部22が連結部14の端面側である連結先端面部31側へ向き、かつ、突起部22の一部が連結部14の外周面に接触するように連結部14の外周面に嵌合される。
【００６０】
また、耐震継手13は、継手本体21の円弧状部23の一部が段差部27に接触するように先端部25に嵌合される。
【００６１】
耐震継手13の嵌合後、先に設置したカルバート部材12の被連結部15のテーパ部29の内側へ、隣接させる他のカルバート部材12の連結部14を耐震継手13とともに挿入して、連結部14と被連結部15とを嵌着する。
【００６２】
耐震継手13は、連結部14と被連結部15とを嵌着する際に、間隙20にて、嵌着の進行にともなって連結部14の外周面と被連結部15の内周面とで挟みこまれた状態で弾性変形しながら回動し、段差部27を越えるように先端部25から基端部26へ移動する。
【００６３】
また、耐震継手13は、弾性変形しながら回動する際に、図６（ｂ）に示すように、突起部22が中空部24へ向かって押し込まれ、中空部24が潰れて回動を阻害しにくい形状に弾性変形する。
【００６４】
このように弾性変形しながら回動する耐震継手13を介して嵌着された連結部14と被連結部15とは、図５（ｂ）に示すように、連結先端面部31と被連結基端面部34とが平行に対向して略当接し、連結基端面部32と被連結先端面部33とが平行に対向して略当接する。
【００６５】
また、図６（ｃ）に示すように、嵌合された連結部14と被連結部15とは、間隙20にて弾性変形した耐震継手13を介して水密に連結され、カルバート部材12，12が隣接して連結される。
【００６６】
そして、ボックスカルバート11が所望の長さになるように、同様に新たなカルバート部材12を順次連結して設置する。
【００６７】
上記ボックスカルバート11によれば、継手本体21が連結部14の外周面に嵌合可能であり、連結部14の外周面に予め嵌合された耐震継手13が、連結部14と被連結部15との嵌着の際に、間隙20にて、連結部14の外周面と被連結部15の内周面に挟み込まれた状態で弾性変形しながら回動可能である。
【００６８】
したがって、耐震継手13を取り付ける際に、耐震継手13の一部を埋設したり、耐震継手13を接着したりする必要がなく、耐震継手13の取付作業が容易であり、連結部14の外周面に耐震継手13を予め嵌合して連結部14と被連結部15とを嵌着させるだけで、連結部14と被連結部15とを水密に連結できるため、ボックスカルバート11を容易に設置できる。
【００６９】
また、このように設置されたボックスカルバート11は、例えば地震等によりボックスカルバート11に捻じれる力やカルバート部材12同士を引き離す力が加わり、ボックスカルバート11に屈曲等の変形が生じた場合であっても、図７に示すように、連結部14と被連結部15との嵌着を解除する方向へのカルバート部材12の移動にともなって、耐震継手13が間隙20を追従するように弾性変形しながら連結部14と被連結部15とを嵌着する際とは反対方向へ回動して移動する。
【００７０】
したがって、地震等によりボックスカルバート11に変形が生じても、耐震継手13が間隙20を追従できるため、連結部14と被連結部15との水密な連結を維持できる。
【００７１】
ここで、ボックスカルバート11は、耐震継手13が突起部22を有することにより、連結部14と被連結部15とを引き離す方向へ力が加わった場合に、突起部22が連結部14の外周面または被連結部15の内周面に接触して、耐震継手13の回動への抵抗になるため、連結部14と被連結部15との連結の解除を抑制できる。
【００７２】
耐震継手13は、継手本体21内に中空部24が設けられていることにより、連結部14と被連結部15を嵌着する際に、突起部22が中空部24へ向かって押し込まれ、回動を阻害しにくい形状に弾性変形しやすい。
【００７３】
したがって、耐震継手13が間隙20にてスムーズに回動でき、連結部14と被連結部15とを容易に連結でき、ボックスカルバート11を容易に設置できる。
【００７４】
また、耐震継手13は、収縮した状態での継手本体21の環状の長さが、連結部14において耐震継手13が予め嵌合される箇所の外周の長さよりやや短いことにより、連結部14に嵌合した耐震継手13は伸張されてテンションがかかった状態になるため、連結部14に確実に嵌合できる。
【００７５】
特に、耐震継手13は、収縮した状態での継手本体21の環状の長さが、連結部14において耐震継手13が予め嵌合される箇所の外周の長さに対して８５％以上９５％以下であることにより、嵌合によるテンションによって連結部14の角部にて耐震継手13に加わる力を抑制でき、かつ、連結部14に確実に嵌合できるため、耐震継手を連結部14に適切に取り付けることができる。
【００７６】
耐震継手13は、突起部22が連結部14の端面側へ向き、かつ、突起部22の一部が連結部14の外周面に接触するように嵌合されることにより、連結部14と被連結部15との嵌着にともなって間隙20で連結部14の基端部26側へ回動しやすく、また、嵌合された耐震継手13の連結部14の端面側への回動を突起部22にて係止でき、連結部14の外周面上にて耐震継手13にねじれが発生することを防止できるため、連結部14の外周面上で耐震継手13を位置決めしやすい。
【００７７】
したがって、嵌合状態の耐震継手13の位置がずれにくく、連結部14の外周面上での耐震継手13の位置決めが容易であるとともに、嵌着にともなって耐震継手13が回動しやすいので、連結部14と被連結部15とを容易かつ正確に嵌着できる。
【００７８】
また、連結部14の先端に傾斜部28を有することにより、連結部14の外周面に耐震継手13を嵌合しやすいので、耐震継手13を容易に取り付けることができる。
【００７９】
さらに、被連結部15にテーパ部29を有することにより、耐震継手13が嵌着された連結部14を被連結部15の内側へ挿入しやすく、連結部14と被連結部15とを耐震継手13を挟み込んで嵌着しすいため、連結部14と被連結部15とを容易に連結できる。
【００８０】
耐震継手13は、継手本体21の円弧状部23の一部が段差部27に接触するように先端部25の外周面に嵌合されることにより、連結部14と被連結部15とを嵌着する際に、継手本体21が段差部27に係止される。
【００８１】
したがって、連結部14と被連結部15とを嵌着する際に、耐震継手13は、段差部27より基端部26側へ摺動してずれにくく、段差部27に沿って回動しやすいので、連結部14と被連結部15とを正確に連結できる。
【００８２】
また、耐震継手13は、中空部24の大きさが、突起部22と同じ大きさか、または、突起部22より大きいことにより、連結部14と被連結部15とを嵌着する際に突起部22が中空部24へ向かって弾性変形しやすいので、連結部14と被連結部15とを容易に連結できる。
【００８３】
さらに、耐震継手13は、突起部22の突起長さａが継手本体21の直径に対して１５％以上２０％以下であることにより、連結部14と被連結部15とを嵌着する際に間隙20にて回動しやすく、かつ、連結部14と被連結部15とが連結された状態にて連結部14と被連結部15とを引き離す方向へ力が加わった場合に突起部22による抵抗力を確保できる。
【００８４】
なお、上記一実施の形態では、既に設置したカルバート部材12の被連結部15に、新たに隣接させて設置するカルバート部材12の連結部14を嵌着させる構成としたが、連結部14と被連結部15とが耐震継手13を介して連結される構成であればよく、例えば、既に設置したカルバート部材12の連結部14に、新たに隣接させて設置するカルバート部材12の被連結部15を嵌着させる構成でもよい。
【００８５】
また、ボックスカルバート11の一端に位置するカルバート部材12の一端部には、連結部14が設けられる構成および連結部14が設けられていない構成のいずれでもよい。
【００８６】
さらに、ボックスカルバート11の他端に位置するカルバート部材12の他端部には、被連結部15が設けられる構成および被連結部15が設けられていない構成のいずれでもよい。
【００８７】
また、設置されるカルバート部材12の数は、設置予定のボックスカルバート11の長さに応じて適宜設定できる。
【００８８】
耐震継手13は、継手本体21が断面視で円弧状部23を有する略円形状としたが、このような構成には限定されず、連結部14と被連結部15との嵌着にともなって回動可能な形状であれば、継手本体21は例えば断面視多角形状などでもよい。
【００８９】
また、耐震継手13は、継手本体21が中空部24が設けられた構成としたが、このような構成には限定されず、中空部24が設けられていない構成にしてもよい。
【００９０】
継手本体21に中空部24が設けられる構成の場合は、中空部24が無端状の構成には限定されず、例えば間欠状などにしてもよい。
【００９１】
また、中空部24は、断面視半円形状としたが、このような構成には限定されず、その形状および大きさは適宜設計できる。
【００９２】
突起部22は、基端から先端へ向かって漸次細くなる構成にしたが、このような構成には限定されず、継手本体21の周面の一部から突出していればよい。
【００９３】
耐震継手13は、突起部22が連結部14の端面側である連結先端面部31側へ向き、かつ、突起部22の一部が連結部14の外周面に接触するように連結部14の外周面に嵌合させる構成としたが、このような構成には限定されず、耐震継手13の嵌合状態は適宜変更できる。
【００９４】
また、耐震継手13は、継手本体21の円弧状部23の一部が段差部27に接触するように先端部25に嵌合させる構成としたが、このような構成には限定されず、耐震継手13の嵌合位置は適宜設定できる。
【００９５】
連結部14は、先端部25と基端部26と段差部27とを有する構成としたが、このような構成には限定されず、例えば、連結部14が端面から基端にわたって外周の長さが均一で外周面が平坦な構成などにしてもよい。また、先端部25と基端部26と段差部27とを有する構成にする場合は、先端部25および基端部26の軸方向の長さや、段差部27の傾斜角度は適宜設定できる。
【００９６】
また、連結部14は、先端に傾斜部28が形成された構成としたが、このような構成には限定されず、傾斜部28が形成されていない構成にしてもよい。また、傾斜部28が形成された構成にする場合は、傾斜部28の角度は適宜設定できる。
【００９７】
被連結部15は、テーパ部29を有する構成としたが、このような構成には限定されず、テーパ部29が設けられていない構成にしてもよい。また、テーパ部29が設けられた構成にする場合は、テーパ部29の傾斜角度は適宜設定できる。
【符号の説明】
【００９８】
11    カルバート構造物としてのボックスカルバート
12    カルバート部材
13    耐震継手
14    連結部
15    被連結部
20    間隙
21    継手本体
22    突起部
24    中空部
25    先端部
26    基端部
27    段差部
29    テーパ部
【手続補正２】
【補正対象書類名】特許請求の範囲
【補正対象項目名】全文
【補正方法】変更
【補正の内容】
【特許請求の範囲】
【請求項１】
略角筒状のカルバート部材の連結部の外周面と、この連結部の外周面の外側に間隙を介して嵌着可能な略角筒状の他のカルバート部材の被連結部の内周面とが、伸縮可能で弾性変形可能な環状の耐震継手を間隙に挟み込んだ状態で嵌着されて、複数の略角筒状のカルバート部材が連通するように水密に連結されるカルバート構造物であって、
耐震継手は、連結部の外周面に嵌合可能な環状の継手本体と、この継手本体から環状に沿って突出した突起部とを有し、収縮した状態での継手本体の環状の長さが連結部において予め嵌合される箇所の外周の長さに対して８５％以上９５％以下であり、連結部と被連結部とが嵌着される前に予め連結部の外周面に嵌合され、連結部と被連結部とを嵌着する際に連結部の外周面と被連結部の内周面との間隙で弾性変形しながら回動可能である
ことを特徴とするカルバート構造物。
【請求項２】
略角筒状のカルバート部材の連結部の外周面と、この連結部の外周面の外側に間隙を介して嵌着可能な略角筒状の他のカルバート部材の被連結部の内周面とが、弾性変形可能な環状の耐震継手を間隙に挟み込んだ状態で嵌着されて、複数の略角筒状のカルバート部材が連通するように水密に連結されるカルバート構造物であって、
耐震継手は、連結部の外周面に嵌合可能な環状の継手本体と、この継手本体から環状に沿って突出した突起部とを有し、連結部と被連結部とが嵌着される前に予め連結部の外周面に嵌合され、連結部と被連結部とを嵌着する際に連結部の外周面と被連結部の内周面との間隙で弾性変形しながら回動可能であり、
連結部は、端面側に位置する先端部と、この先端部より基端側に位置し先端部より外周が大きい基端部と、これら先端部と基端部との境界部分である段差部とを有し、
耐震継手は、継手本体の一部が段差部に接触するように先端部に嵌合され、連結部と被連結部とを嵌着する際に先端部から基端部へ回動しながら移動する
ことを特徴とするカルバート構造物。
【請求項３】
連結部は、端面側に位置する先端部と、この先端部より基端側に位置し先端部より外周が大きい基端部と、これら先端部と基端部との境界部分である段差部とを有し、
耐震継手は、継手本体の一部が段差部に接触するように先端部に嵌合され、連結部と被連結部とを嵌着する際に先端部から基端部へ回動しながら移動する
ことを特徴とする請求項１記載のカルバート構造物。
【請求項４】
耐震継手は、継手本体内に中空部が設けられている
ことを特徴とする請求項１ないし３のいずれか一記載のカルバート構造物。
【請求項５】
耐震継手は、突起部が連結部の端面側へ向き、かつ、突起部の一部が連結部の外周面に接触するように連結部に嵌合される
ことを特徴とする請求項１ないし４のいずれか一記載のカルバート構造物。
【請求項６】
被連結部は、端面へ向かって薄くテーパ状に形成されたテーパ部を有する
ことを特徴とする請求項１ないし５のいずれか一記載のカルバート構造物。